【事件の表示】
　特許第２９８８１１６号「電気湯沸かし器」の請求項１ないし３に係る特許に対する特許異議の申立てについて、次のとおり決定する。
【結　論】
　訂正を認める。
　特許第２９８８１１６号の請求項１ないし３に係る特許を維持する。
【理　由】
１．手続の経緯
　特許第２９８８１１６号（平成４年４月２２日出願、平成１１年１０月８日設定登録。）の請求項１ないし３に係る特許に対する異議申立事件の手続の経緯は、以下のとおりである。
　異議申立　　　平成１２年　６月　２日
　取消理由通知　平成１２年１２月２２日（発送日）
　訂正請求　　　平成１３年　２月２０日
　
２．訂正についての判断
（１）訂正の内容
（ａ）訂正事項（ａ）特許請求の範囲の請求項１の「蓋体とを有し、」を、「蓋体と、前記蓋体の回転運動の支点となるヒンジ部とを有し、」と訂正する。
　
（ｂ）訂正事項（ｂ）特許請求の範囲の請求項１の「設けてなる電気湯沸かし器」を、「設けてなり、前記弁体の重量／穴部の面積の値の大なる弁体及び穴部が前記ヒンジ部に近い方に配置された電気湯沸かし器」と訂正する。
　
（ｃ）訂正事項（ｃ）発明の詳細な説明の段落【0009】の「蓋体とを有し、」を、「蓋体と、前記蓋体の回転運動の支点となるヒンジ部とを有し、」と訂正し、また、同「設けてなる電気湯沸かし器」を、「設けてなり、前記弁体の重量／穴部の面積の値の大なる弁体及び穴部が前記ヒンジ部に近い方に配置された電気湯沸かし器」と訂正する。
　
（２）訂正の目的、新規事項の有無、及び拡張・変更の存否
　特許明細書には、「２０は注口上に載置された蓋体で、回転運動の支点となるヒンジ部２１で支持されている」（段落【0018】）、「弁体の重量／穴部の面積の値の大のもの（塞いだ場合の穴部の単位面積あたりの弁体の重量が大の物）が蓋体の開閉時における回転運動の支点に近い方に配置されている」（段落【0013】抜粋）、「２１ ヒンジ部（回転運動の支点）」（図面の簡単な説明）との記載があり、これらの記載と第１図、第２図からみて、訂正事項（ａ）乃至（ｃ）は、願書に添付した明細書又は図面に記載した事項の範囲内のものである。
　また、訂正事項（ａ）によって、「蓋体の回転運動の支点となるヒンジ部」が構成に欠くことができない事項となり、訂正事項（ｂ）によって、「弁体の重量／穴部の面積の値の大なる弁体及び穴部が前記ヒンジ部に近い方に配置」することが構成に欠くことができない事項となったことで、「弁体及び穴部」の構造を限定すると認められるから、訂正事項（ａ）、（ｂ）は、特許請求の範囲の減縮を目的としたものであり、また、訂正事項（ｃ）は、特許請求の範囲の訂正に伴って生じる発明の詳細な説明の不明瞭な記載を釈明するものである。
　そして、特許明細書の、「蓋を勢い良く閉じたりすると、弁が開口部を塞いだままになってしまい、容器内で湯の沸騰による多量の蒸気による圧力の上昇で弁が開口部から落下せず、閉じたままとなり容器内の内圧の上昇で容器内の熱湯が吐出口より出て、熱湯が体にかかって火傷をまねいたり、床面をぬらしたりする問題」（段落【0006】抜粋）を解決し、もって「安全で、使用操作性に優れ故障の少ない電気湯沸かし器を提供する」との記載に照らせば、訂正事項（ａ）乃至（ｃ）は、実質上特許請求の範囲を拡張し、又は変更するものではない。
　
（３）まとめ
　以上のとおりであるから、前記訂正は、平成６年改正法附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．異議申立についての判断
（１）異議申立の理由の概要
　異議申立人は、甲第1号証を提出し、請求項１に係る発明、請求項２に係る発明、請求項３に係る発明は、甲第1号証に記載された発明と同一であるから、本件特許は、特許法第２９条の２の規定に違反してなされたものであり、取り消すべきである旨主張する。
　
（２）本件発明
　前記２．（３）のとおり、前記訂正が認められるので、請求項１に係る発明、請求項２に係る発明、請求項３に係る発明は、それぞれ、訂正明細書の特許請求の範囲の請求項１、２、３に記載された次のとおりのものと認められる。
　
「【請求項１】
　液体を収容する容器と、容器上方開放部を覆い外郭を構成する外蓋と容器側に面した内蓋とを設けた蓋体と、前記蓋体の回転運動の支点となるヒンジ部とを有し、前記蓋体には内蓋から外蓋の開口部に至る蒸気通路を設け、前記内蓋には容器と蒸気通路を結ぶ複数の穴部を設け、これら複数の穴部を開閉する弁体を穴部一つに対して弁体一つ設けてなり、前記弁体の重量／穴部の面積の値の大なる弁体及び穴部が前記ヒンジ部に近い方に配置された電気湯沸かし器。
　
　【請求項２】
　内蓋の複数の穴部に設けた弁体は、重量が異なる請求項１記載の電気湯沸かし器。
　
　【請求項３】
　内蓋に設けた穴部の一方の面積は、容器内の液体が沸騰時に於いて、内圧を上昇させないで蒸気を外部に逃がすことのできる最小の面積とする請求項１記載の電気湯沸かし器。」
　
（３）先願発明
　これに対して、本件特許の出願日前の他の出願であって、その出願後に出願公開された特願平２−３０５０８７号（特開平４−１７６４１３号公報参照、甲第1号証）の願書に最初に添付した明細書及び図面（以下、「先願明細書等」という。）には、図面とともに、次の記載がある。
（ａ）発明が解決しようとする課題に関して、「沸騰直後に転倒した場合などのように、容器内の内圧が高くなっている場合は、本体を転倒状態から正常の状態に戻した時、容器の内圧によって弁体が小孔側に押圧された状態に保持され、蒸気路が閉じたままとなることがある。そのため、注出操作を行わないにもかかわらず容器内の内圧によって容器内の湯が導水路を介して注出され、使用者がこの湯により火傷を負うという危険があった。」（（ハ）発明が解決しようとする課題の欄抜粋）
　
（ｂ）実施例として、「本発明の実施例を図面を参照して説明する。図中（１）は湯沸器本体、（２）はこの本体（１）内に収納された貯水用の容器、（３）はこの容器の上端に開口して設けた注水口、（４）はこの注水口（３）をパッキング（５）を介在して閉じる蓋体、（６）はこの蓋体（４）を本体（１）に回動自在に支持するヒンジ部である。蓋体（４）はロック機構（図示せず）によって本体（１）に保持される。（７）は容器（２）の内部と外部を連通するように蓋体（４ ）に形成した蒸気路、（８）（９）はこの蒸気路（７）の一部を構成するように並設した第１，第２の蒸気室、（１０）は第１蒸気室（８）の上端に形成した直径７ｍｍの円形の小孔、（１１）は第２蒸気室（９）の上端に形成した直径２ｍｍの円形の微小孔、（１２）は蒸気を外部に放出する蒸気排出孔である。（１３）は第１蒸気室（８）内に上下動自在に収納されたステンレス製の球状の弁体で、直径９．６ｍｍ、重さ（Ｗ１）約３．９ｇの大きさである。前記小孔（１０）の面積（Ｓ１）は約０．３８ｃｍ２であるので、Ｗ１／Ｓ１は約１０ｇｆ／ｃｍ２となる。従って容器（２）の内圧が外部よりも１０ｇｆ／ｃｍ２（およそ０．０１気圧）以上高いと弁体（１３）は小孔（１０）を一度閉じると蒸気圧によってその状態に保持される。」（（へ）実施例の欄抜粋）
　
（ｃ）他の実施例として、「他の実施例について説明すると、上記の構成に加えて、第２蒸気室（９）内に点線で示すようにステンレス製の球状の補助弁体（２３）を配置し、本体（１）の転倒時に微小孔（１１）を閉じるようにしたものである。そしてこの補助弁体（２３）は本体（１）が転例状態から元に戻った時、必ず落下して微小孔（１１）を開孔させるように設定しておく。すなわち、微小孔（１１）の開口面積（Ｓ２）は約０．０３ｃｍ２であるので、容器（２）内が最高圧力（約２５ｇｆ／ｃｍ２）（パッキング（５）から蒸気が噴出する）の時に微小孔（１１）全体に加わる力は約０．７５ｇｆである。従って補助弁体（２３）の重さは０．７５ｇ以上に設定しておけばよい。従って比重７．９のステンレスを用いた場合は直径５．８ｍｍ程度の球体でよく、弁体（１３）と同じものを用いることもできる。ここで、微小孔（１）の開口面積（Ｓ２）を大きくすれば補助弁体（２３）の重さ（Ｗ２）も重くする必要があるが、Ｗ２／Ｓ２が容器（２）内の最高内圧付近となるように設定しておけばよい。
　このような構成によれば、本体（１）を転倒させても、蒸気路（７）が２つの弁体（１３）（２３）によって閉じられ、蒸気排出口（１２）からの湯の流出を完全に止めることができる。また、本件（１）を転倒状態から元にもどした際、容器（２）の内圧が高くても補助弁体（２３）は必す落下して微小孔（１１）を開口させるので、容器（２）の内圧を確実に低下させて注出口（１７）からの湯の流出を極力少なくすることができる。そして内圧の低下に伴ない弁体（１３）も落下し、正常状態にもどる。」（（へ）実施例の欄抜粋）
　
（ｄ）発明の効果として、「本体を転倒させて元に戻しても容器と外部を連通する蒸気路が閉じられることがないので、容器内の圧力上昇が抑えられ、注出操作をしないにもかかわらず大量の湯が流出し、それによって火傷を負うという事故を大幅に減少させることができる。」（（ト）発明の効果の欄）
　
　そして、先願明細書等の「小孔１０」及び「微小孔１１」は、孔部といえるから、先願明細書等には、前記（ｂ）、（ｃ）及び図面からみて、次のもの（以下、「先願発明」という。）が記載されていると認められる。
　
　液体を収容する容器と、容器上方開放部を覆い外郭を構成する外蓋と容器側に面したパッキングとを設けた蓋体と、前記蓋体の回転運動の支点となるヒンジ部とを有し、前記蓋体にはパッキングから外蓋の蒸気排出孔に至る蒸気路を設け、前記パッキングには容器と蒸気路を結ぶ複数の孔部を設け、これら複数の孔部を開閉する弁体を孔部一つに対して弁体一つ設けてなり、前記弁体の重量／孔部の面積の値の大なる弁体及び孔部が前記ヒンジ部に遠い方に配置された電気湯沸かし器。
　
（４）対比・判断
　請求項１に係る発明と先願発明とを対比すると、先願発明の「パッキング」は請求項１に係る発明の「内蓋」に相当し、先願発明の「蒸気排出孔」は請求項１に係る発明の「開口部」に相当し、先願発明の「蒸気路」は請求項１に係る発明の「蒸気通路」に相当し、先願発明の「複数の孔部」は請求項１に係る発明の「複数の穴部」に相当するから、両者は、　
　
　液体を収容する容器と、容器上方開放部を覆い外郭を構成する外蓋と容器側に面した内蓋とを設けた蓋体と、前記蓋体の回転運動の支点となるヒンジ部とを有し、前記蓋体には内蓋から外蓋の開口部に至る蒸気通路を設け、前記内蓋には容器と蒸気通路を結ぶ複数の穴部を設け、これら複数の穴部を開閉する弁体を穴部一つに対して弁体一つ設けてなる電気湯沸かし器、
　
　で一致し、次の点で相違する。
　
【相違点】
　請求項１に係る発明は、弁体の重量／穴部の面積の値の大なる弁体及び穴部がヒンジ部に近い方に配置されるのに対して、先願発明は、遠い方に配置される点。
　
　そこで、【相違点】について検討する。
　請求項１に係る発明が解決しようとする課題は、前記２．（２）で示したように、蓋を勢いよく閉じたりすると、弁が開口部を塞いだままになってしまい、容器内で湯の沸騰による多量の蒸気によって圧力が上昇し弁が開口部から落下せず、容器内の内圧の上昇により火傷したり、床面をぬらしたりする問題（段落【0006】参照）を解決して、安全で、使用操作性に優れ故障の少ない電気湯沸かし器を提供することにあり、他方、先願発明が解決しようとする課題は、前記（３）（ａ）に示したとおり、沸騰直後に転倒した場合などのように、容器内の内圧が高くなっている場合に、本体を転倒状態から正常の状態に戻した時、容器の内圧によって弁体が小孔側に押圧された状態に保持され、蒸気路が閉じたままとなることがあり、そのため、容器内の内圧により火傷を負うという危険（（ハ）発明が解決しようとする課題の欄参照）を回避することにあると認められる。
　そして、両者を対比してみると、両者は、容器内の内圧の上昇による火傷等を回避することでは共通するものの、弁が開口部を塞ぐ原因として、請求項１に係る発明が、蓋を勢いよく閉じたりすることを挙げ、先願発明が、沸騰直後に転倒した場合などを挙げている点で異なり、その「蓋を勢いよく閉じ」ることとは、蓋が開放されているため、周囲が大気圧となっている状態での弁の閉塞であり、他方、「沸騰直後に転倒」することとは、周囲の内圧が高い状態での弁の閉塞のことと解されるから、請求項１に係る発明と先願発明との解決しようとする課題の生じる技術的背景が異なると認められる。
　また、発明の作用・効果に関して、請求項１に係る発明は、「蓋閉時において、なんらかの理由により複数のうち一つの弁が穴部を閉塞したまま蓋がしまった時でも、他の弁を持つ穴部は閉塞されることはなく」（段落【0022】抜粋）とするのに対して、先願発明が前記（３）（ｄ）に示したように「本体を転倒させて元に戻しても容器と外部を連通する蒸気路が閉じられることがない」とするにとどまり、先願明細書等に、請求項１に係る発明の前記作用や効果を示唆する記載はない。
　そうしてみると、請求項１に係る発明と先願発明とは、発明が解決しようとする課題及び発明の効果において、一部異なるところがあるから、相違点として挙げた構成を、先願発明の単なる設計変更とすることができない。
　
　したがって、請求項１に係る発明と先願発明とは同一とすることができない。
　
　また、請求項２に係る発明、請求項３に係る発明は、それぞれ請求項１を引用したものであって請求項１に記載された事項をそのまま具備するから、請求項１に係る発明と同様の理由により、先願発明と同一とすることができない。
　
（５）むすび
　以上のとおりであるから、異議申立の理由及び証拠によっては、請求項１ないし３に係る特許を取り消すことができない。
　また、他に請求項１ないし３に係る特許を取り消すべき理由を発見しない。
　よって、結論のとおり決定する。
【異議決定日】
平成１３年３月１２日（２００１．３．１２）
【訂正の要旨】
訂正の要旨
（ａ）訂正事項（ａ）特許請求の範囲の請求項１の「蓋体とを有し、」を、「蓋体と、前記蓋体の回転運動の支点となるヒンジ部とを有し、」と訂正する。
（ｂ）訂正事項（ｂ）特許請求の範囲の請求項１の「設けてなる電気湯沸かし器」を、「設けてなり、前記弁体の重量／穴部の面積の値の大なる弁体及び穴部が前記ヒンジ部に近い方に配置された電気湯沸かし器」と訂正する。
（ｃ）訂正事項（ｃ）発明の詳細な説明の段落【０００９】の「蓋体とを有し、」を、「蓋体と、前記蓋体の回転運動の支点となるヒンジ部とを有し、」と訂正し、また、同「設けてなる電気湯沸かし器」を、「設けてなり、前記弁体の重量／穴部の面積の値の大なる弁体及び穴部が前記ヒンジ部に近い方に配置された電気湯沸かし器」と訂正する。
（５４）【発明の名称】
電気湯沸かし器
（５７）【特許請求の範囲】
　【請求項１】液体を収容する容器と、容器上方開放部を覆い外郭を構成する外蓋と容器側に面した内蓋とを設けた蓋体
と前記蓋体の回転運動の支点となるヒンジ部
り、前記弁体の重量／穴部の面積の値の大なる弁体及び穴部が前記ヒンジ部に近い方に配置された
　【請求項２】内蓋の複数の穴部に設けた弁体は、重量が異なる請求項１記載の電気湯沸かし器。
　【請求項３】内蓋に設けた穴部の一方の面積は、容器内の液体が沸騰時に於いて、内圧を上昇させないで蒸気を外部に逃がすことのできる最小の面積とする請求項１記載の電気湯沸かし器。
【発明の詳細な説明】
　【０００１】
　【産業上の利用分野】
　本発明は、収容液体を加熱・保温しさらに前記液体を外部容器に注ぐことのできる電気湯沸かし器に関するものである。
　【０００２】
　【従来の技術】
　従来、電気湯沸かし器の蓋体は、図３に示す如く外郭を構成する外蓋１０１と容器側の内蓋１０２とよりなり、この間を、蒸気通路１０３で連絡して容器内の蒸気を外部へ逃がす働きをしていた。この時、内蓋、外蓋それぞれには、蒸気通路につながる開口が設けられていた。
　【０００３】
　一方、電気湯沸かし器においては、器体の転倒時に容器内の湯の流出を最小限にくいとめる必要があり、そのため、弁１０４を内蓋１０２の開口部分に設けて、器体が転倒するとこの弁１０４が開口を塞いで容器内の液体の外部への流出を防止していた。
　【０００４】
　内蓋１０２の一部に開口部１０５を設けるとともに、周囲にリブを配して弁座とし、ここに設けた弁１０４は、内蓋の容器側に設けた飾り枠１０６との間で動く構成となっており、通常蓋閉時には弁は飾り枠１０６の方へ落ちて開口部１０５は開放状態になっており、転倒時には、弁１０４が開口部１０５の方へ移動して閉塞していた。
　【０００５】
　蓋は、容器上部に載置された注口の後部にある軸部１０７を支点として回転運動で開閉動作をしており、この時も、前記弁１０４は弁座部を開口部と飾り枠部の間で移動していた。
　【０００６】
　【発明が解決しようとする課題】
　しかしながら上記構成では、蓋開時においては、弁が内蓋の開口部を塞いでおり、これが蓋閉時には通常、蓋の回転運動とともに、弁の自重により落下して開口部を開成するが、蓋を勢い良く閉じたりすると、弁が開口部を塞いだままになってしまい、容器内で湯の沸騰による多量の蒸気による圧力の上昇で弁が開口部から落下せず、閉じたままとなり容器内の内圧の上昇で容器内の熱湯が吐出口より出て、熱湯が体にかかって火傷をまねいたり、床面をぬらしたりする問題があった。
　【０００７】
　これに対して、弁の入る開口部分に逃げ道を作り、内圧が上がっても隙間から蒸気が逃げて弁が閉じてしまう事がないようにし、かつ転倒時に於いても隙間から出た湯は内蓋の一部に設けた貯水部に溜め、再び蓋を閉じた時に容器内に覆水するものもあるが、これらは、蓋の蒸気通路の構成や、貯水部を設ける等構造が複雑となっていた。従って製品としてどうしても高価なものになっていた。
　【０００８】
　本発明は、上記の点に鑑みて提供するものであり、安全で、使用操作性に優れ故障の少ない電気湯沸かし器を提供することができる。
　【０００９】
　【課題を解決するための手段】
　液体を収容する容器と、容器上方開放部を覆い外郭を構成する外蓋と容器側に面した内蓋とを設けた蓋体
と、前記蓋体の回転運動の支点となるヒンジ部
り、前記弁体の重量／穴部の面積の値の大なる弁体及び穴部が前記ヒンジ部に近い方に配置された
　【００１０】
　複数の弁体はそれぞれ重量が異なるものであり、さらに、内蓋に設けた穴部の一方の面積は、容器内の液体が沸騰時に於いて、内圧を上昇させないで蒸気を外部に逃がすことのできる最小の面積とするものである。
　【００１１】
　【作用】
　本発明は蓋体の容器側を構成する内蓋に容器と器体外部とを結ぶ通路に複数の穴と該穴部を閉塞する弁をそれぞれに設けることによって、蓋閉時において、なんらかの理由により複数のうち一つの弁が穴部を閉塞したまま蓋がしまった時でも、他の弁を持つ穴部は閉塞されることはなく、そのため容器内の内圧が上昇して容器内の熱湯を吐出口より出してしまうことはなくなる。
　【００１２】
　二つの穴の内一つは、容器内の熱湯が沸騰したときにその蒸気の発生による内圧の上昇をおさえるための最低限の面積を確保しておけばよいので、万一穴部に弁が内圧によって保持されても、弁の重量に対しての面積が小さいので弁の自重によって、弁が落下してしまう為穴部が閉塞される可能性は非常に小さく、容器内の液体が、器体外に流出してしまうことはない。
　【００１３】
　弁体が穴部を塞いだまま、落下しない場合の原因としては、蓋の開閉は軸部を支点としての回転運動に於いて、弁体に遠心力が働く為に、あるタイミングで、自重による落下作用と、遠心力による穴部に残存しようとする力のバランスに於いて後者が勝る場合もその一因と考えられ、この場合、回転運動時移動スピードのより遅い回転軸に近い方の弁体の方が、遠心力は小さく弁体は落下しやすいので、最悪弁体が穴部を塞いでも、自重によって落下しやすい、弁体の重量／穴部の面積の値の大のもの（塞いだ場合の穴部の単位面積あたりの弁体の重量が大の物）が蓋体の開閉時における回転運動の支点に近い方に配置されている。
　【００１４】
　【実施例】
　以下、本発明の一実施例について添付図面にもとづいて説明する。
　【００１５】
　図１，図２において、１は略円筒状の液体収納用の容器で、下端には発熱体部２を装着した伝熱板の外縁部を液密に溶接等の手段で固着している。容器１の底面にはパイプ状の防水金具３が設けられ、ブッシング４を介して導出手段であるところの電動ポンプ５につながっている。
　【００１６】
　電動ポンプ５は前記ブッシング４と接続している吸水口６より容器１内の液体を吸入し、導出経路７の一つである水管パイプ８に接続する吐出口９より送り出す働きをしている。
　【００１７】
　水管パイプ８の先には、転倒流出防止弁１０を持つ水管ブッシング１１が設けられ、ケース１２を介して導出経路の先端部１３に至っている。１４は容器１を空間を介して包むボデーである。１５はボデー上に載置された注口で、下部のはかま１６と共にボデーを挟持している。
　【００１８】
　２０は注口上に載置された蓋体で、回転運動の支点となるヒンジ部２１で支持されている。蓋体２０は、外郭を構成する外蓋２２と、容器側部を構成する内蓋２３と、容器１内と外部を通気する蒸気通路２４、この蒸気通路２４と接続して蒸気を器体外へ導く外蓋開口部２２ａ、開閉操作用つまみ２５、容器フランジ１ａと蓋体２０の隙間をシールするパッキン２６およびパッキン２６を取りつけている飾り枠２７等よりなっている。
　【００１９】
　内蓋２３には容器１側と蒸気通路２４をつなぐ穴部が２箇所設けられている。そのうちのひとつは比較的面積の大きい穴部２８であり、主たる蒸気通路への通り道となっている。もう一つは、容器１内の湯が沸騰しても、その蒸気圧で容器１内の湯が器体外に押し出されない様に蒸気圧を定価させる為に必要最小限の開口面積とした穴部２９である。そしてこれらの穴部２８，２９に対応して、弁体３０ａ，３０ｂが設けられている。これら弁体３０ａ，３０ｂは器体が転倒したときに前記穴部２８，２９を塞いで容器１内の液体が外部に流出しない様にしたものである。
　【００２０】
　弁体３０ａ，３０ｂは、２個共、同重量の場合もあるが、この場合は、上記の様に、穴部２８，２９の開口面積を変えている。又、穴部を同面積とした場合は、弁体の重量に差をつけて、一方の方に閉塞に対しての余裕をとっている。
　【００２１】
　蓋開時においては、蓋体２０は注口１５に対して１０５°程度の角度となり、その時点では、弁３０ａ，３０ｂに対して穴部２８，２９が下となり、その結果弁体３０ａ，３０ｂは前記穴部２８，２９を閉塞している。次に蓋体２０を閉じる時は、注口１５に対する角度が９０°以下になると、通常弁体３０ａ，３０ｂの自重によって落下して飾り枠２７上に止まり、穴部２８，２９は開放状態となる。しかし、蓋体２０の閉スピードが早い時など弁体３０ａ，３０ｂに遠心力が働くなどして、穴部２８，２９から落下せずこれを閉塞したままとなる場合がある。ここで、２箇所同時にこの現象がおこることは非常に少なく、もしおこっても、若干のズレがあれば一方の穴部によって容器内の蒸気は排気されて内圧上昇は防止されて、もう一方の弁体も自重で落下し穴部は開放される。３１は注口の一部に設けられた給湯つまみで、これを操作することによりモーターに通電して電動ポンプ５を運転させて容器１内の液体を器体外へ導出する。制御回路３４は、モーターへの通電制御と共に、温度センサー３２の信号を受けて発熱体部２への通電制御等をおこなう。３３は通電状態や異常の有無を表示する表示部である。
　【００２２】
　【発明の効果】
　本発明は蓋体の容器側を構成する内蓋に容器と器体外部とを結ぶ通路に複数の穴と該穴部を閉塞する弁をそれぞれに設けることによって、蓋閉時において、なんらかの理由により複数のうち一つの弁が穴部を閉塞したまま蓋がしまった時でも、他の弁を持つ穴部は閉塞されることはなく、そのため容器内の内圧が上昇して容器内の熱湯を吐出口より出してしまうことはなくなる。
　【００２３】
　二つの穴の内一つは、容器内の熱湯が沸騰したときにその蒸気の発生による内圧の上昇をおさえるための最低限の面積を確保しておけばよいので、万一穴部に弁が内圧によって一時的に保持されても、弁の重量に対しての面積が小さいので弁の自重によって、弁が落下してしまう為穴部が閉塞される可能性は非常に小さく、容器内の液体が、器体外に流出してしまうことはない。
【図面の簡単な説明】
　【図１】
　本発明の特許請求の範囲に係る実施例を示す電気湯沸かし器の断面図
　【図２】
　本発明の蓋体部分の一実施例を示す部分断面図
　【図３】
　従来の電気湯沸かし器を示す縦断面図
　【符号の説明】
　１　容器
　２０　蓋体
　２１　ヒンジ部（回転運動の支点）
　２２　外蓋
　２２ａ　外蓋の開口部
　２３　内蓋
　２４　蒸気通路
　２８　穴部（開口部大）
　２９　穴部（開口部小）
　３０ａ　弁体
　３０ｂ　弁体